(57)【要約】【課題】最適な電源遮断状態から電源供給状態への移行動作を実行する。【解決手段】主電源スイッチ４１の操作有りに基づく電源供給時は、動作モードを稼働モードとする。画像処理装置１０の近傍にユーザー６０が存在するということは、画像処理装置１０を利用する確率が高く、直ちに稼働モードとする利便性を優先するためである。主電源スイッチ４１の操作無しに基づく電源供給時は、不揮発性メモリ１８Ｍに記憶された動作モードに準じて動作モードを選択する。すなわち、不揮発性メモリ１８Ｍに記憶された動作モードがオフモードの場合は、オフモードを選択する。また、不揮発性メモリ１８Ｍに記憶された動作モードが稼働モードの場合は、稼働モードを選択する。停電発生前後において、同一の動作モードとすることで、ユーザー６０が予測し得る動作モードとの違和感を解消するためである。【選択図】図８
2014174897.tif 000002
【特許請求の範囲】
【請求項１】
電源を供給及び遮断するための主電源操作部と、
前記主電源操作部の操作の有無を判別する判別手段と、
前記電源から電力供給を受けて動作する処理機器の動作モードが遷移する毎に、遷移後の動作モードを更新して記憶する記憶する記憶手段と、
電源遮断状態から電源供給状態へ移行するときに、前記判別手段が前記主電源操作部の操作無しと判別した場合は、前記処理機器が前記記憶手段に記憶された動作モードとなるように制御する制御手段と、
を有する起動動作制御装置。
【請求項２】
前記主電源操作部の操作により前記電源を供給する状態で有効とされ、同一の操作を実行する毎に前記動作モードの切り替えを指示する指示信号が生成される副電源操作部をさらに有する請求項１記載の起動動作制御装置。
【請求項３】
電源遮断状態から電源供給状態へ移行するときに、前記判別手段が前記主電源操作部の操作有りと判別した場合は、前記制御手段は、前記処理機器が予め定めた動作モードとなるように制御する請求項１又は請求項２記載の起動動作制御装置。
【請求項４】
前記判別手段が、所定領域内に移動体が存在するか否かを検出する移動体検出手段を備え、前記判別手段では、前記移動体検出手段による前記移動体の存在を前記主電源操作部の操作有りと判別する請求項１〜請求項３の何れか１項記載の起動動作制御装置。
【請求項５】
前記判別手段が、前記主電源操作部の操作状態を直接検出する操作状態検出手段を備え、前記判別手段では、前記操作状態検出手段による操作状態の検出を前記主電源操作部の操作有りと判別する請求項１〜請求項３の何れか１項記載の起動動作制御装置。
【請求項６】
電源を供給及び遮断するための主電源操作部と、
前記主電源操作部の操作の有無を判別する判別手段と、
前記主電源操作部の操作により前記電源を供給する状態で有効とされ、同一の操作を実行する毎に前記動作モードの切り替えを指示する指示信号が生成される副電源操作部と、
前記電源から電力供給を受けて動作し、かつ前記副電源操作部の操作で指示された動作モードに遷移され、画像処理に関する処理を実行する処理機器と、
前記電源から電力供給を受けて動作する処理機器の動作モードが遷移する毎に、遷移後の動作モードを更新して記憶する記憶する記憶手段と、
電源遮断状態から電源供給状態へ移行するときに前記判別手段が前記主電源操作部の操作無しと判別した場合は前記処理機器が前記記憶手段に記憶された動作モードとなるように制御し、電源遮断状態から電源供給状態に移行するときに前記判別手段が前記主電源操作部の操作有りと判別した場合は前記処理機器が予め定めた動作モードとなるように制御する制御手段と、
を有する画像処理装置。
【請求項７】
前記処理機器が、原稿画像から画像を読み取る画像読取処理部、画像情報に基づいて記録用紙に画像を形成する画像形成処理部、予め相互に定められた通信手順の下で画像を送受信するファクシミリ通信処理部、の少なくとも１つの処理機器を含み、前記副電源操作部が操作される毎に、前記処理機器の動作モードが少なくとも稼働待機状態又は省電力状態に切り替えられる請求項６記載の画像処理装置。
【請求項８】
コンピュータに、
電源から電力供給を受けて動作する処理機器の動作モードが遷移する毎に、遷移後の動作モードを更新して記憶手段に記憶し、
電源遮断状態から電源供給状態へ移行するときに、電源を供給及び遮断するための主電源操作部の操作の有無を判別し、
前記主電源操作部の操作無しと判別した場合は、前記処理機器が前記記憶された動作モードとなるように制御し、
前記主電源操作部の操作有りと判別した場合は、前記処理機器が予め定めた動作モードとなるように制御する、
ように起動動作制御を実行させるための起動動作制御プログラム。
【発明の詳細な説明】
【技術分野】
【０００１】
本発明は、起動動作制御装置、画像処理装置、起動動作制御プログラムに関する。
【背景技術】
【０００２】
特許文献１には、通電中の動作モードを常に監視（かつ更新記憶）しておき、電断が一瞬の場合は補償し、電断が長時間続いた場合はイニシャライズ起動し、電断が前記一瞬と前記長時間の間の時間のとき電源キーの状態で、イニシャライズ起動するか電断直前の動作モードにするかを振り分けることが記載されている。
【０００３】
また、特許文献２は、電断直前のＮＶＲＡＭにソフト電源キーの情報を記憶し、電断からの復帰時にコントローラのみを起動し、電断直前のソフト電源キーの状態を判別し、起動するか否かを決めることが記載されている。処理装置、例えば、画像処理装置では、低消費電力化を図るため、未使用時は不要な電力を供給しない省電力モードに移行する機能を有している。
【先行技術文献】
【特許文献】
【０００４】
【特許文献１】特開２００７−２４３５４７号公報
【特許文献２】特開２０１２−１７５４９６号公報
【発明の概要】
【発明が解決しようとする課題】
【０００５】
本発明は、ユーザーによる正常な電源断と、停電等による予期せぬ電源断とを区別して本構成を有しない場合に比べて、最適な復帰動作を実行することができる起動動作制御装置、画像処理装置、起動動作制御プログラムを得ることが目的である。
【課題を解決するための手段】
【０００６】
請求項１に記載の発明は、電源を供給及び遮断するための主電源操作部と、前記主電源操作部の操作の有無を判別する判別手段と、前記電源から電力供給を受けて動作する処理機器の動作モードが遷移する毎に、遷移後の動作モードを更新して記憶する記憶する記憶手段と、電源遮断状態から電源供給状態へ移行するときに、前記判別手段が前記主電源操作部の操作無しと判別した場合は、前記処理機器が前記記憶手段に記憶された動作モードとなるように制御する制御手段と、を有する起動動作制御装置である。
【０００７】
請求項２に記載の発明は、前記請求項１に記載の発明において、前記主電源操作部の操作により前記電源を供給する状態で有効とされ、同一の操作を実行する毎に前記動作モードの切り替えを指示する指示信号が生成される副電源操作部をさらに有する。
【０００８】
請求項３に記載の発明は、前記請求項１又は請求項２に記載の発明において、電源遮断状態から電源供給状態へ移行するときに、前記判別手段が前記主電源操作部の操作有りと判別した場合は、前記制御手段は、前記処理機器が予め定めた動作モードとなるように制御する。
【０００９】
請求項４に記載の発明は、前記請求項１〜請求項３の何れか１項記載の発明において、前記判別手段が、所定領域内に移動体が存在するか否かを検出する移動体検出手段を備え、前記判別手段では、前記移動体検出手段による前記移動体の存在を前記主電源操作部の操作有りと判別する。
【００１０】
請求項５に記載の発明は、前記請求項１〜請求項３の何れか１項記載の発明において、前記判別手段が、前記主電源操作部の操作状態を直接検出する操作状態検出手段を備え、前記判別手段では、前記操作状態検出手段による操作状態の検出を前記主電源操作部の操作有りと判別する。
【００１１】
請求項６に記載の発明は、電源を供給及び遮断するための主電源操作部と、前記主電源操作部の操作の有無を判別する判別手段と、  前記主電源操作部の操作により前記電源を供給する状態で有効とされ、同一の操作を実行する毎に前記動作モードの切り替えを指示する指示信号が生成される副電源操作部と、前記電源から電力供給を受けて動作し、かつ前記副電源操作部の操作で指示された動作モードに遷移され、画像処理に関する処理を実行する処理機器と、前記電源から電力供給を受けて動作する処理機器の動作モードが遷移する毎に、遷移後の動作モードを更新して記憶する記憶する記憶手段と、電源遮断状態から電源供給状態へ移行するときに前記判別手段が前記主電源操作部の操作無しと判別した場合は前記処理機器が前記記憶手段に記憶された動作モードとなるように制御し、電源遮断状態から電源供給状態に移行するときに前記判別手段が前記主電源操作部の操作有りと判別した場合は前記処理機器が予め定めた動作モードとなるように制御する制御手段と、を有する画像処理装置である。
【００１２】
請求項７に記載の発明は、前記請求項６に記載の発明において、前記処理機器が、原稿画像から画像を読み取る画像読取処理部、画像情報に基づいて記録用紙に画像を形成する画像形成処理部、予め相互に定められた通信手順の下で画像を送受信するファクシミリ通信処理部、の少なくとも１つの処理機器を含み、前記副電源操作部が操作される毎に、前記処理機器の動作モードが少なくとも稼働待機状態又は省電力状態に切り替えられる。
【００１３】
請求項８に記載の発明は、コンピュータに、電源から電力供給を受けて動作する処理機器の動作モードが遷移する毎に、遷移後の動作モードを更新して記憶する記憶し、電源遮断状態から電源供給状態へ移行するときに、電源を供給及び遮断するための主電源操作部の操作の有無を判別し、前記主電源操作部の操作無しと判別した場合は、前記処理機器が前記記憶された動作モードとなるように制御し、前記主電源操作部の操作有りと判別した場合は、前記処理機器が予め定めた動作モードとなるように制御する、ように起動動作制御を実行させるための起動動作制御プログラムである。
【発明の効果】
【００１４】
請求項１に記載の発明によれば、本構成を有しない場合に比べて、最適な電源遮断状態から電源供給状態への移行動作を実行することができる。
【００１５】
請求項２に記載の発明によれば、副電源操作部の操作状態によらず、電源遮断直前の動作モードを判別することができる。
【００１６】
請求項３に記載の発明によれば、主電源操作部の操作による電源供給状態への移行では、予め定めた動作モードとなるように制御することができる。
【００１７】
請求項４に記載の発明によれば、電源供給状態への移行時に、間接的に主電源操作部の操作如何を判別することができる。
【００１８】
請求項５に記載の発明によれば、電源供給状態への移行時に、直接的に主電源操作部の操作如何を判別することができる。
【００１９】
請求項６に記載の発明によれば、本構成を有しない場合に比べて、最適な電源遮断状態から電源供給状態への移行動作を実行することができる。
【００２０】
請求項７に記載の発明によれば、処理機器の動作モードを副電源操作部の操作で変更することができる。
【００２１】
請求項８に記載の発明によれば、本構成を有しない場合に比べて、最適な電源遮断状態から電源供給状態への移行動作を実行することができる。
【図面の簡単な説明】
【００２２】
【図１】第１の実施の形態に係る画像処理装置の概略図である。
【図２】第１の実施の形態に係る画像処理装置の電源供給系及び制御系の構成を示すブロック図である。
【図３】第１の実施の形態に係る人感センサ取付位置の拡大斜視図である。
【図４】第１の実施の形態に係る画像処理装置及びその周辺示す斜視図であり、画像処理装置周辺に人（ユーザー）不在の状態を示す。
【図５】第１の実施の形態に係る画像処理装置及びその周辺示す斜視図であり、画像処理装置周辺に人（ユーザー）存在の状態を示す。
【図６】第１の実施の形態係るメインコントローラで実行される、電源供給状態における動作モード記憶制御ルーチンを示すフローチャートである。
【図７】第１の実施の形態に係るメインコントローラで実行される、電源供給開始時起動ルーチンを示すフローチャートである。
【図８】第１の実施の形態に係る電源供給状態と電源遮断状態と間の遷移状態を示すタイミングチャートである。
【図９】第２の実施の形態に係る主電源スイッチの斜視図である。
【図１０】第２の実施の形態に係る主電源スイッチの操作有無判別のための制御の流れを示すタイミングチャートである。
【発明を実施するための形態】
【００２３】
［第１の実施の形態］
図１には、第１の実施の形態に係る画像処理装置１０が示されている。
【００２４】
画像処理装置１０は、記録用紙に画像を形成する画像形成部１２と、原稿画像を読み取る画像読取部１４と、ファクシミリ通信制御回路１６を含む処理機器を備えている（以下、総称する場合「デバイス」という場合がある）。画像形成装置１２と、その他のデバイス（画像読取部１４、ファクシミリ通信制御回路１６）との間には、画像形成部１２で画像記録された記録用紙が排出される記録用紙排出トレイ１０Ｔが形成されている。
【００２５】
画像処理装置１０は、メインコントローラ１８を備えており、画像形成部１２、画像読取部１４、ファクシミリ通信制御回路１６を制御して、例えば、画像読取部１４で読み取った原稿画像の画像データを一次的に記憶したり、読み取った画像データを画像形成部１２又はファクシミリ通信制御回路１６へ送出したりする。
【００２６】
メインコントローラ１８にはインターネット等のネットワーク通信回線網２０が接続され、ファクシミリ通信制御回路１６には電話回線網２２が接続されている。メインコントローラ１８は、例えば、ネットワーク通信回線網２０を介してＰＣ２９（図２参照）と接続され、画像データを受信したり、ファクシミリ通信制御回路１６を介して電話回線網２２を用いてファクシミリ受信及びファクシミリ送信を実行する役目を有している。
【００２７】
画像読取部１４は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２８】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２９】
画像処理装置１０には、入力電源線２４の先端にコンセント２６が取り付けられており、壁面Ｗまで配線された商用電源３１の配線プレート３２に、当該コンセント２６を差し込むことで、画像処理装置１０は、商用電源３１から、電力の供給を受けるようになっている。第１の実施の形態の画像処理装置１０では、主電源スイッチ４１のオンオフ操作によって、商用電源を供給するようになっている。主電源スイッチ４１は、所謂シーソー型のスイッチであり、ユーザー（人）が操作することで、シーソー型の操作部が物理的に動作して、オン状態とオフ状態とに切替えられるようになっている。従って、主電源スイッチ４１は、視覚的にも、オンオフ状態が認識可能となっている。
【００３０】
主電源スイッチ４１は、画像処理装置１０の前面にパネル部１０Ｐを開放（下辺を中心とした回転動作）することで、露出する内部部品の一部として設けられている。
【００３１】
また、第１の実施の形態では、主電源スイッチ４１とは別に、副電源操作部４４が設けられている。副電源操作部４４は、主電源スイッチ４１のオン状態で電源供給される前記各デバイス等の動作モードを選択する機能を有している。
【００３２】
副電源操作部４４は、所謂ソフトスイッチであり、記録用紙排出トレイ１０Ｔの一部に設けられ、自動復帰する押しボタンスイッチで構成されている。すなわち、副電源操作部４４を押圧している間は内部の電気接点が接触し、押圧を解除すると電気的接点が非接触となる。メインコントローラ１８では、副電源操作部４４の電気的接点を監視し、当該電気的接点が接触する毎に（すなわち、副電源操作部４４を操作する毎に）、デバイスの動作モードを変更する指示信号の入力と判断する。
【００３３】
（画像処理装置の制御系ハード構成）
図２は、画像処理装置１０の制御系のハード構成の概略図である。
【００３４】
ネットワーク回線網２０は、前記画像処理装置１０のメインコントローラ１８に接続されている。なお、ネットワーク回路網２０には、画像データを送信元等になり得るＰＣ（端末装置）２９が接続されている。
【００３５】
メインコントローラ１８には、それぞれ、データバスやコントロールバス等のバス３３Ａ〜３３Ｅを介して、ファクシミリ通信制御回路１６、画像読取部１４、画像形成部１２、ＵＩタッチパネル４０、ＩＣカードリーダーライター５８が接続されている。すなわち、このメインコントローラ１８が主体となって、画像処理装置１０の各処理部が制御されるようになっている。なお、ＵＩタッチパネル４０には、ＵＩタッチパネル用バックライト部４０ＢＬが取り付けられている。
【００３６】
また、画像処理装置１０は、電源装置４２を備えており、メインコントローラ１８とは信号ハーネス４３で接続されている。
【００３７】
電源装置４２は、商用電源３１から入力電源線２４を介して電力の供給を受けている。入力電源線２４には、主電源スイッチ４１が介在されている。
【００３８】
電源装置４２では、メインコントローラ１８、ファクシミリ通信制御回路１６、画像読取部１４、画像形成部１２、ＵＩタッチパネル４０、ＩＣカードリーダーライター５８のそれぞれに対して独立して電力を供給する電力供給線３５Ａ〜３５Ｅが設けられている。このため、メインコントローラ１８では、各デバイス（以下において、「処理機器」、「モジュール」等と称する場合もある）の稼働モード中において、個別に電力供給（電力供給モード）、或いは電力遮断（スリープモード）し、所謂部分節電制御を可能としている。なお、詳細は後述するが、画像処理装置１０は、動作モードとして、前記稼働モードとオフモードとが設定されており、副電源操作部４４の操作により稼働モード又はオフモードが選択されるようになっている。
【００３９】
また、メインコントローラ１８には、人感センサ３０が接続されており、画像処理装置１０の周囲の人の有無、より具体的には、画像処理装置１０に設けられている主電源スイッチ４１の近傍の人の有無を監視している（詳細後述）。
【００４０】
主電源スイッチ４１は、前述したようにパネル部１０Ｐを開放することで操作可能とされ、画像処理装置１０へ商用電力を供給するか否かの末端の手動操作型のスイッチ（例えば、シーソー型スイッチ）であり、ユーザーの操作によって、オン又はオフに切り替えが可能となっている。
【００４１】
この主電源スイッチ４１がオンされることで、画像処理装置１０のコントローラ２８に電力が供給され、必要最小限の起動動作（初期動作）が実行されるようになっている。必要最小限の起動動作は、例えば、ネットワーク通信回線網２０との通信、ファクシミリ受信のための電話回線網との通信が挙げられる。この状態の動作モードを「オフモード」という。
【００４２】
一方、メインコントローラ１８には、副電源操作部４４が設けられている。この副電源操作部４４がオンすることで、商用電源３１からの電力が、画像読取装置１４、画像形成装置１２、並びにファクシミリ通信制御回路１６等の各種デバイスへ供給され、フル稼働可能となる。この状態の動作モードを「稼働モード」という。
【００４３】
第１の実施の形態に係る人感センサ３０の仕様は、移動体の有無（存在・不存在）を検出するものが適用されている。この人感センサ３０に適用されるセンサは、投光部と受光部とを備えた反射型センサ等が代表的である（反射型センサ）。なお、投光部と受光部とが分離された形態であってもよい。
【００４４】
この人感センサ３０に適用された反射型センサ等の最大の特徴は、受光部に入る光を遮断する／しないによって移動体の有無を確実に検出することである。また、投光部から投光される光量等により、受光部へ入射する光量に制限があるため、比較的近距離が検出領域である。
【００４５】
なお、人感センサ３０として、以下に示す機能をそれぞれ達成することが可能であれば、人感センサ３０として反射型センサに限定されるものではない。
【００４６】
人感センサ３０の検出領域は、画像処理装置１０のＵＩタッチパネル２１６やハードキーの操作が可能な範囲であり、その中に、主電源スイッチ４１を操作するときに立ち入る領域が含まれている。目安として検出臨界距離（最も遠い位置）が０．２〜１．０ｍ程度が好ましい。
【００４７】
図１に示される如く、人感センサ３０は、画像処理装置１０の筐体の一部であり、画像読取装置１４を支持する縦長矩形状のピラー部５０に取り付けられている。ピラー部５０は、主として前記画像読取装置１２を覆う上筐体と、主として画像形成装置１２を覆う下筐体とを連結する部分に柱状に設けられており、その内部は記録用紙搬送系等（図示省略）が組みつけられている。図３は、このピラー部５０の拡大図である。
【００４８】
図３に示される如く、ピラー部５０の前面は、前記ピラー部５０を意匠的な要素を持って被覆する縦長の矩形状のカバー部材５２が取り付けられている。
【００４９】
図３に示される如く、カバー部材５２の上端部には、縦長のスリット孔５５が設けられており、当該スリット孔５５の裏面側には、前記人感センサ３０の受光部３０ＩＮと投光部３０ＯＵＴとが配置されている。図示は省略したが、前記スリット孔５５には、透過率が比較的低い（透過率５０％以下）の調光部材が嵌め込まれている。この隠蔽部材は、外部から前記人感センサ３０が見えにくくして、前述した意匠的な要素を確保するために設けられており、基本的に人感センサ３０の検出機能は維持されている。
【００５０】
ここで、画像処理装置１０に電源供給されるときの要因として、主電源スイッチ４１のオン操作に加え、停電発生後の復帰が考えられる。
【００５１】
第１の実施の形態では、主電源スイッチ４１のオン操作であるか停電復帰であるかの区別を、人感センサ３０による移動体の検出結果に基づいて判別している。この判別は、人感センサ３０からの検出信号に基づいて、メインコントローラ１８によって実行される。メインコントローラ１８では、この電源供給後、最先にセンサコントローラ１８Ｓが起動するようになっている。
【００５２】
すなわち、図４に示される如く、電源供給されるとき、センサコントローラ１８Ｓが最先に起動して、画像処理装置１０の周囲における予め定めた領域（図４の領域Ａ参照）内に移動体６０（以下、「ユーザー６０」という場合がある）がいない場合は、停電から復帰による電力供給であると判別する。
【００５３】
また、図５に示される如く、電源供給されるとき、画像処理装置１０の周囲における予め定めた領域（図５の領域Ａ参照）内にユーザー６０がいる場合は、主電源スイッチ４１を操作していると想定し、主電源スイッチ４１のオン操作による電力供給であると判別する。
【００５４】
また、第１の実施の形態の画像処理装置１０では、副電源操作部４４がソフトスイッチのため、電源供給時の画像処理装置１０の動作モードとして、「稼働モード」又は「オフモード」の何れかを、副電源操作部４４の操作状態からは判別し得ない。
【００５５】
そこで、メインコントローラ１８では、副電源操作部４４の操作状態を監視し、当該副電源操作部４４が操作される毎に切り替わる動作モード（「稼働モード」又は「オフモード」）を、不揮発性メモリ１８Ｍに記憶している。このため、不揮発性メモリ１８Ｍには、電源遮断直前の動作モードが記憶されることになる。
【００５６】
メインコントローラ１８では、センサコントローラ１８Ｓの優先起動により実行される前記人感センサ３０に基づく主電源スイッチ４１の操作有無情報、並びに、不揮発性メモリ１８Ｍに記憶された電源遮断直前の動作モード情報に基づいて、電源供給時の動作モードを設定するようにした。
【００５７】
このため、副電源操作部４４にソフトスイッチを用いたことにより動作モードが分からない状態での電源供給時の動作モードを、単純にオフモード又は稼働モードに統一するよりも、電源供給後の利便性を高めている。
【００５８】
また、副電源操作部４４にソフトスイッチを用いたことによりわからなくなる動作モードを不揮発性メモリに記憶しておくことで、停電後の復帰の際、停電直前の動作モードに戻している。
【００５９】
第１の実施の形態では、動作モードの判別を以下の形態としている。
【００６０】
（形態１）  主電源スイッチ４１の操作有りに基づく電源供給時は、動作モードを稼働モードとする。
【００６１】
画像処理装置１０の近傍にユーザー６０が存在するということは、画像処理装置１０を利用する確率が高く、直ちに稼働モードとする利便性を優先するためである。
【００６２】
（形態２）  主電源スイッチ４１の操作無しに基づく電源供給時は、不揮発性メモリ１８Ｍに記憶された動作モードに準じて動作モードを選択する。
（１）不揮発性メモリ１８Ｍに記憶された動作モードがオフモードの場合は、オフモードを選択する。
（２）不揮発性メモリ１８Ｍに記憶された動作モードが稼働モードの場合は、稼働モードを選択する。
【００６３】
停電発生前後において、同一の動作モードとすることで、ユーザー６０が予測し得る動作モードとの違和感を解消するためである。
【００６４】
以下、第１の実施の形態の作用を、図６及び図７のフローチャート、並びに図８のタイミングチャートに基づいて説明する。
【００６５】
図６は、メインコントローラ１８で実行され、電源供給状態における動作モード記憶制御ルーチンを示すフローチャートである。なお、図示は省略したが、メインコントローラ１８では、各デバイスの動作状況を管理する管理制御が実行されており、図６及び図７は、そのサブルーチンとして動作するものである。
【００６６】
ステップ１００では、副電源操作部４４の操作があったか否かが判断される。副電源装置部４４は、所謂ソフトスイッチであるため、メインコントローラ１８では、副電源操作部４４の接点の切り替え状態を監視して、当該判断を下す。
【００６７】
このステップ１００で否定判定された場合は、動作モードの変更の意志がないと判断し、このルーチンは終了する。また、ステップ１００で肯定判定されると、動作モードの変更の意思があると判断し、ステップ１０２へ移行する。
【００６８】
ステップ１０２では、操作指示内容が稼働モードかオフモードかを判断する。すなわち、副電源操作部４４は、モード移行の操作が同一の操作であり、現在が稼働モードの場合に操作されるとオフモードへの移行指示であり、現在がオフモードの場合に操作されると稼働モードへの移行指示となる。
【００６９】
ステップ１０２において、オフモード指示の場合は、ステップ１０４へ移行して、不揮発性メモリ１８Ｍに動作モードとして「オフモード」を記憶し、このルーチンは終了する。
【００７０】
また、ステップ１０２において、稼働モード指示の場合は、ステップ１０６へ移行して、不揮発性メモリ１８Ｍに動作モードとして「稼働モード」を記憶し、このルーチンは終了する。
【００７１】
次に、図７は、メインコントローラ１８で実行され、電源供給開始時に起動するルーチンである。
【００７２】
ステップ１１０では、まず、センサコントローラ１８Ｓを最先に起動する。これにより、電源供給直後に人感センサ３０による、画像処理装置１０の周囲（図４及び図５に示す領域Ａ参照）にユーザー６０が存在するか否かを監視可能となる。
【００７３】
次のステップ１１２では、人感センサ３０による検出を開始し、次いで、ステップ１１４で検出結果（ユーザー６０の有無情報）を一時記憶し、ステップ１１６へ移行する。この検出結果は、動的である必要はなく、例えば、センサコントローラ１８Ｓが起動した直後、或いは所定時間経過した後の検出状態を、ビット信号（フラグ）等で記憶しておけばよい。なお、所定時間とは、０．５〜１．０秒程度である。
【００７４】
ステップ１１６では、画像処理装置１０の初期化処理を実行し、初期化処理終了後は、ステップ１１８へ移行する。この初期化処理では、最終的に動作モードがオフモードとなって待機される。
【００７５】
ステップ１１８では、前記一時記憶された人感センサ３０によるユーザー６０の有無情報に基づいて、主電源スイッチ４１の操作状態を判別する。すなわち、ユーザー６０を検出した場合は、主電源スイッチ４１操作有りと判別し、ユーザー６０を検出しない場合は、主電源スイッチ４１操作無しと判別する。
【００７６】
次のステップ１２０では、前記ステップ１１８の判別結果に基づき処理を分岐する。すなわち、主電源スイッチ４１操作有りの場合は、ステップ１２０からステップ１２２へ移行して予め定めた動作モードへ遷移するように指示して、このルーチンは終了する。
【００７７】
また、主電源スイッチ４１操作無しの場合は、ステップ１２０からステップ１２４へ移行して不揮発性メモリ１８Ｍに記憶された動作モードを読み出す。
【００７８】
次いで、ステップ１２６では、記憶された動作モードを判別し、オフモードの場合はステップ１２８へ移行して、現在の動作モード、すなわちオフモードの維持を指示して、
このルーチンは終了する。
【００７９】
一方、ステップ１２６において、記憶された動作モードが稼働モードと判別された場合は、ステップ１３０へ移行して、動作モードを遷移、すなわち、オフモードから稼働モードへの遷移を指示して、このルーチンは終了する。
【００８０】
図８は、主として、図６及び図７のフローチャートに基づく状態遷移を示すタイミングチャートであり、一部説明が重複する場合がある。
【００８１】
電源遮断には、停電等による予期せぬ電源遮断と、主電源スイッチ４１のオフ操作による電源断とがあり、電源供給されるときは、何れの状態からの電源供給か不明である。
【００８２】
そこで、人感センサ３０によるユーザー６０の有無を検出し、主電源スイッチ４１の操作有無情報として記憶しておく。
【００８３】
その後、画像処理装置１０を初期化処理する。この初期化処理では、最終的に動作モードはオフモードとなる。
【００８４】
ここで、常にオフモードで待機させると、主電源スイッチ４１の操作による電源供給時では、すぐに稼働したいユーザー６０の利便性が損なわれる場合がある。また、常に稼働モードへ遷移させると、停電直前がオフモードであった場合は停電発生前後で異なる動作モードとなり、ユーザー６０に違和感を持たせる場合がある。
【００８５】
そこで、画像処理装置の動作モードを更新記憶しておき、当該記憶された電源遮断直前の動作モード情報と、前述した主電源スイッチの操作有無情報とに基づいて、動作モードを選択する。
【００８６】
主電源スイッチ４１の操作有り、かつ電源投入時の動作モードが稼働モード設定の場合は、稼働モードを選択する。なお、電源投入時の動作モードがオフモード設定の場合は、オフモードを選択するようにしてもよい。すなわち、ユーザー６０の使い勝手によって、電源投入時の動作モードをデフォルトとして設定しておけばよい。
【００８７】
主電源スイッチ４１の操作無し、かつ記憶された停電直前の動作モードが稼働モードの場合は、稼働モードを選択する。
【００８８】
主電源スイッチ４１の操作無し、かつ記憶された停電直前の動作モードがオフモードの場合は、オフモードを選択する。
【００８９】
［第２の実施の形態］
以下に第２の実施の形態について説明する。
【００９０】
前記第１の実施の形態では、主電源スイッチ４１の操作状態を人感センサ３０を用いて、画像処理装置１０の周囲（図４及び図５の領域Ａ）内にユーザー６０が存在することで、所謂間接的に当該ユーザー６０が主電源スイッチ４１の操作（オン操作）を行っていると判別している。
【００９１】
これ対し、第２の実施の形態の特徴は、主電源スイッチ４１の操作（オン操作）を直接的に検出する構成としている。
【００９２】
図９に示される如く、主電源スイッチ４１は、互いに角度を持ってオン側面４１Ｉ（記号「Ｉ」が付与された面）とオフ側面４１Ｏ（記号「０」が付与された面）とが連続した、シーソー型のスイッチ形状となっている。
【００９３】
第２の実施の形態では、主電源スイッチ４１のオン側面４１Ｉにシート状の圧力センサ４１Ｐが貼り付けられている。
【００９４】
圧力センサ４１Ｐは、予め定めたしきい値以上の圧力が加わるか否かで異なる信号を出力するようになっており、少なくとも２値の信号が出力されるようになっている。
【００９５】
このため、ユーザー６０が主電源スイッチ４１でオン操作する場合、圧力センサ４１Ｐに圧力が加わるため、当該オン操作時とそれ以外とで異なる信号が出力され、直接的に主電源スイッチ４１の操作（オン操作）が検出可能である。
【００９６】
図１０は、主電源スイッチ４１と圧力センサ７２Ｐとの切り替え時の流れを説明した遷移図である。
【００９７】
まず、主電源スイッチ４１がオフ状態で、ユーザー６０（の指）が触れていない場合から始まり、主電源スイッチ４１のオン側面４１Ｉを押圧操作すると、最初にユーザー６０の指が圧力センサに触れ、圧力センサ４１Ｐがオンとなる。
【００９８】
次に、ユーザー６０の指による押圧が継続されると、主電源スイッチ４１の傾倒が変化し、主電源スイッチ４１の接点が切り替わる。切り替わった後は、ユーザー６０は主電源スイッチ４１から離れる。
【００９９】
すなわち、主電源スイッチ４１がオン操作された後、ユーザー６０が主電源スイッチ４１から離れるまでに、一定期間のタイムラグがあり、当該一定期間を、圧力センサ４１Ｐの状態判別期間とすれば、主電源スイッチ４１の操作（オン操作）を直接的にすることが可能となる。
【０１００】
なお、主電源スイッチ４１自体の構造を変更し、例えば、１つの操作で、異なる２回路以上の接点切り替え動作が可能な構造のスイッチとし、一方を電源供給のための回路、他方を操作監視のための回路として利用してもよい。
【符号の説明】
【０１０１】
Ｗ    壁面
１０    画像処理装置
１０Ｔ    記録用紙排出トレイ
１０Ｐ    パネル部
１２    画像形成部
１４    画像読取部
１６    ファクシミリ通信制御回路
１８    メインコントローラ
１８Ｓ    センサコントローラ
１８Ｍ    不揮発性メモリ
２０    ネットワーク通信回線網
２２    電話回線網
２４    入力電源線
２６    コンセント
２９    ＰＣ
３０    人感センサ
３０ＩＮ    受光部
３０ＯＵＴ    投光部
３１    商用電源
３２    配線プレート
３３Ａ〜３３Ｅ    バス
３５Ａ〜３５Ｅ    電力供給線
４０    ＵＩタッチパネル
４０ＢＬ    ＵＩタッチパネル用バックライト部
４１    主電源スイッチ
４２    電源装置
４３    信号ハーネス
４４    副電源操作部
５０    ピラー部
５２    カバー部材
５８    ＩＣカードリーダーライター
６０    ユーザー
【図１】
2014174897.tif 000003
【図２】
2014174897.tif 000004
【図３】
2014174897.tif 000005
【図４】
2014174897.tif 000006
【図５】
2014174897.tif 000007
【図６】
2014174897.tif 000008
【図７】
2014174897.tif 000009
【図８】
2014174897.tif 000010
【図９】
2014174897.tif 000011
【図１０】
2014174897.tif 000012